(57)【特許請求の範囲】
【請求項１】
室内に供給管から流入して拡散しているガスの濃度を、室外から推定する方法であって、
室内ガスを流入点から供給管を介して室外に吸引し、
吸引経路に残留するガスの影響が消失した後の計測値を、室内ガス濃度として推定することを特徴とする室内ガス濃度推定方法。
【請求項２】
前記室外に吸引して計測されるガス濃度と、室内ガス濃度の上限との関係を予め求めておき、
該関係に基づいて、計測されるガス濃度から室内ガス濃度の上限を推定することを特徴とする請求項１記載の室内ガス濃度推定方法。
【発明の詳細な説明】
【０００１】
【発明の属する技術分野】
本発明は、室内に流入して拡散しているガスの濃度を、室内に入らずに確認するための室内ガス濃度推定方法に関する。
【０００２】
【従来の技術】
たとえば実験室では、有毒ガスや可燃性ガスなどを使用することがある。有毒ガスや可燃性ガスは、慎重に取扱われ、漏れに対する対策も考慮される。したがって、有人の室内で各種ガスの漏れが発生しても、直ちに室内にいる人によって気付かれ、漏れの防止など適切な処置が講じられる。
【０００３】
しかしながら、室内のガス濃度を知る必要がある場合は、必ずしも人がいる場合に限らない。無人の室内でガス漏れなどが発生しているときには、初期の段階で人がガス漏れを止めるような処置をとることができないので、かなりの高濃度に達している場合があり得る。また、毒性など危険性があるガスの漏れでは、室内に人がいても、漏れ防止などの処置を講ずることができないような事態に陥っていることもあり得る。このような場合には、いきなり室内に入って発生しているガス濃度を測定したり、他の作業を行うことは好ましくなく、事前に室外から室内のガス濃度を精度よく確認する必要がある。
【０００４】
【発明が解決しようとする課題】
事前に室外から室内のガス濃度を精度よく確認チェックするには、予め濃度センサなどを設置しておいて濃度センサでガス濃度を計測する必要がある。しかしながら、多くの部屋に濃度センサを予め設置しておくことも、経済的な理由で実現不可能である。また、濃度センサはガスの種類によって異なるので、多くの種類のガスを取扱う実験室でも、全ての種類のガスに対して、予め濃度センサを設置しておくことは困難である。
【０００５】
本発明の目的は、予め室内に濃度センサなどを設置しておかなくても、室内のガス濃度を室外から容易に推定することができる室内ガス濃度推定方法を提供することである。
【０００６】
【課題を解決するための手段】
本発明は、室内に供給管から流入して拡散しているガスの濃度を、室外から推定する方法であって、
室内ガスを流入点から供給管を介して室外に吸引し、
吸引経路に残留するガスの影響が消失した後の計測値を、室内ガス濃度として推定することを特徴とする室内ガス濃度推定方法である。
【０００７】
本発明に従えば、室内に流入して拡散しているガスの濃度を室外から推定するために、室内ガスを流入点を介して室外に吸引して計測する。吸引直後の計測値は、吸引する管路内に残留していたガスの影響が反映されるので、ガスの影響を消失した後の計測値を用いて、室内ガス濃度を推定する。吸引開始直後には、吸引経路にガスが残留しており、計測値が異常に高くなるけれども、この残留影響が消失した後では、安定に室内ガス濃度に対応する計測を行うことができる。
【０００８】
また本発明は、前記室外に吸引して計測されるガス濃度と、室内ガス濃度の上限との関係を予め求めておき、
該関係に基づいて、計測されるガス濃度から室内ガス濃度の上限を推定することを特徴とする。
【０００９】
本発明に従えば、室内ガス濃度を室外に吸引して推定する際の、計測されるガス濃度と室内ガス濃度の上限との関係を予め求めておき、その関係に基づいて計測されるガス濃度から室内ガス濃度の上限を推定するので、室内ガス濃度の上限を確実に室外で把握し、必要な対策等を講じることができる。
【００１０】
【発明の実施の形態】
図１は、本発明の実施の一形態として室内ガス濃度を推定するための構成を示す。部屋１内で、ガスが流入し、拡散している状態を想定する。部屋１は、たとえば研究施設などの実験室の１室であり、気密性の良好なドア２を通じて出入りすることは可能である。しかしながら、部屋１内に流入して拡散している拡散ガス３の濃度が高い場合に、不用意にドア２を開けて部屋１内に入ることは好ましくない。部屋１内に予めガス濃度センサを設置しておき、室外でガス濃度センサの計測値が読取可能であれば、部屋１内に入らなくても室内ガス濃度を容易に計測することができる。しかしながら、このようなガス濃度測定の必要性は小さな確率でしか発生しないにも拘わらず、各部屋に濃度センサを設置して、いつでも計測可能にしておくことは経済的ではない。
【００１１】
本実施形態では、部屋１内に予め濃度センサを設置しておかないでも、室内に流入して拡散している拡散ガス３の濃度を、ガスが部屋１内に流入している流入点４から逆に室外にガスを吸引して計測する。一般的には、ガスが漏れている部分が流入点４となる。供給管５の供給源との接続を外して、供給管５を吸引管として用い、流入点４から部屋１内へのガスの流入を止め、逆に流入点４から供給管５を介して吸引ポンプ６で部屋１内のガスを吸引してサンプリングする。吸引ポンプ６が吸引したガスは、ガス濃度センサ７で濃度が計測され、計測値に基づいて部屋１内の拡散ガス濃度が推定される。
【００１２】
図２は、本実施形態に従う部屋１内の室内ガス濃度の推定を、室外で計測することによって行った実験結果の一例を示す。実験として計測を行っているので、部屋１内にも濃度センサを複数個所に設置し、上限から下限までの範囲を計測している。
【００１３】
時刻０から３時間経過までの間に、供給管５として用いる管を通じて、部屋１内に測定用ガスを流入させ、流入点４から拡散ガス３として部屋１内に拡散させて時間経過とともに濃度を上昇させている。部屋１内では、特別な換気などを行っていないので、部分的な濃度のむらが生じ、濃度の計測値は、上限から下限までの変動が生じる。３時間経過後に、供給管５に吸引ポンプ６を接続し、流入点４から部屋１内の拡散ガス３の吸引を開始する。吸引直後には、供給管５内に残留しているガスが吸引ポンプ６に吸引されるため、一時的に高濃度のガスが計測される。
【００１４】
図３は、吸引開始直後の計測値の変化を、時間軸方向に拡大して示す。吸引開始から数分間は、一時的に高濃度の計測値が得られるけれども、すぐに計測値は部屋１内の上限値と下限値との間に収まり、安定して室外から部屋１の室内ガス濃度を計測可能であることが分かる。
【００１５】
また、図２からも分かるように、本実施形態ではガスを部屋１内に流入させている管を供給管５として流入点４から拡散ガス３を吸引してサンプリングする。なお、部屋１内の室内ガス濃度は、自然換気などにより、時間経過とともに低下する。図２に示すような測定を、予め複数回行っておけば、供給管５から吸引ポンプ６で吸引してガス濃度センサ７で計測する計測値と、部屋１内部の室内ガス濃度の上限との関係を、予め求めておくこともできる。たとえば、ある濃度値を超えると危険性が大きいことが知られている場合に、計測値に基づいて推定される上限値がその基準を下まわるときに、部屋１内のガス濃度が充分に低くなっていると判断することができる。
【００１６】
以上説明した実施形態では、建物内部の１室である部屋１内部のガス濃度を推定するようにしているけれども、個別の建物、個別の住宅、集合の住宅などでも、内部でガス漏れが発生している部屋の室内ガス濃度を、同様にして室外で推定することができる。特に、建物の内部にある部屋でガス漏れが生じているようなときには、従来の方法では何らかの方法でガス漏れを生じている部屋まで接近する必要があるけれども、建物内部の部屋ではどの部屋でガス漏れが生じているかも不明である。本実施形態の考え方を適用すれば、実際にガスが部屋内に流入している流入点から逆に拡散ガスを吸引するので、実際にガス漏れが生じている部屋に対して内部のガスを容易に吸引してサンプリングし、室外でガス濃度を計測して部屋内部のガス濃度を容易にかつ精度よく推定することができる。
【００１７】
【発明の効果】
以上のように本発明によれば、室内のガス濃度を、流入点から供給管を介して吸引するガスの濃度を計測することによって、室外で正確に推定することができる。室内のガス濃度のサンプリングは、流入点から供給管を逆方向に吸引して行うので、室外から直接接近することが困難な内部の部屋などの室内ガス濃度も比較的容易に推定することができる。ガス濃度の推定の必要が生じてから、室外で室内のガス濃度を推定することができるので、予め室内に濃度センサなどを設けておく必要はなく、室内ガスが流入して拡散した後でも、室外から室内のガス濃度を容易に推定することができる。
【００１８】
また本発明によれば、予め求められる計測値と室内ガス濃度の上限値との関係に基づいて、室外から室内ガス濃度の上限値を容易に推定することができる。たとえば、室内のガス濃度が一定値以下に下がってから室内に入るような場合、上限値で判断し、確実に濃度低下と確認した後で室内に入るようにすることができる。
【図面の簡単な説明】
【図１】
本発明の実施の一形態として、吸引によって室外でガス濃度を推定するための
基本的構成を示す図である。
【図２】
図１の実施形態で、部屋１内にガスを流入させ、流入点から吸引して得られる
計測値と室内ガス濃度の関係の一例を示すグラフである。
【図３】
図２で、室内ガス濃度の推定のために吸引を開始した時点付近の吸引ガス濃度
の変化を示すグラフである。
【符号の説明】
１  部屋
２  ドア
３  拡散ガス
４  流入点
５  供給管
６  吸引ポンプ
７  ガス濃度センサ
【図１】
0003971052.tif 000002
【図２】
0003971052.tif 000003
【図３】
0003971052.tif 000004